(57)【要約】【課題】画像ファイル以外の付加的な情報を用いることなく、光学系による画質の劣化を補正する技術を提供する。【解決手段】画像ファイルＧＦは、デジタルカメラによって生成された画像データＧＤと、画像データＧＤ生成時の撮影条件情報とを含んでいる。また、撮影条件情報は、画像データＧＤ生成時のデジタルカメラの光学系の設定パラメータを表す光学系設定情報を有している。画像ファイルＧＦの内容に応じて画像データＧＤの処理を行う画像処理装置は、この光学系設定情報に基づいて、画像データＧＤの画質を調整する画質調整部を備える。【選択図】図５
2008141784.tif 000002
【特許請求の範囲】
【請求項１】
デジタルカメラによって生成された画像データと、前記画像データ生成時の撮影条件情報とを含む画像ファイルの内容に応じて、前記画像データに対して画像処理を行う画像処理装置であって、
前記撮影条件情報は、前記画像データ生成時の前記デジタルカメラの光学系の設定パラメータを表す光学系設定情報を有し、
前記画像処理装置は、前記光学系設定情報に基づいて、前記画像データの画質を調整する画質調整部を備える画像処理装置。
【請求項２】
請求項１記載の画像処理装置であって、
前記光学系設定情報は、前記光学系の３５ｍｍフィルムカメラに換算した焦点距離の値である３５ｍｍ換算レンズ焦点距離を有し、
前記画質調整部は、前記３５ｍｍ換算レンズ焦点距離に基づいて、前記画像データの画質を調整する画像処理装置。
【請求項３】
請求項１または２記載の画像処理装置であって、
前記光学系設定情報は、前記光学系の絞り値を有し、
前記画質調整部は、前記絞り値に基づいて、前記画像データの画質を調整する画像処理装置。
【請求項４】
請求項１ないし３のいずれか記載の画像処理装置であって、
前記画質調整部は、前記光学系設定情報に基づいて、前記画像データのコントラスト調整を行う画像処理装置。
【請求項５】
請求項４記載の画像処理装置であって、
前記画質調整部は、前記３５ｍｍ換算レンズ焦点距離が長くなるにしたがって、前記コントラスト調整の調整量を大きくする画像処理装置。
【請求項６】
請求項４または５記載の画像処理装置であって、
前記画質調整部は、前記絞り値が大きくなるにしたがって、前記コントラスト調整の調整量を小さくする画像処理装置。
【請求項７】
デジタルカメラによって生成された画像データと、前記画像データ生成時の撮影条件情報とを含む画像ファイルの内容に応じて、前記画像データに対して画像処理を行う画像処理方法であって、
（ａ）前記撮影条件情報が有する前記画像データ生成時の前記デジタルカメラの光学系の設定パラメータを表す光学系設定情報を取得する工程と、
（ｂ）前記光学系設定情報に基づいて、前記画像データの画質を調整する画質調整工程と、
を備える画像処理方法。
【請求項８】
デジタルカメラによって生成された画像データと、前記画像データ生成時の撮影条件情報とを含む画像ファイルの内容に応じて、前記画像データに対して画像処理を行う画像処理プログラムであって、
（ａ）前記撮影条件情報が有する前記画像データ生成時の前記デジタルカメラの光学系の設定パラメータを表す光学系設定情報を取得するステップと、
（ｂ）前記光学系設定情報に基づいて、前記画像データの画質を調整する画質調整ステップと、
をコンピュータに実行させる画像処理プログラム。
【発明の詳細な説明】
【技術分野】
【０００１】
この発明は、デジタルカメラによって生成された画像データの画像処理技術に関する。
【背景技術】
【０００２】
デジタルカメラなどの画像入力装置では、光学系を用いて撮像部に結像された被写体の像を電気信号に変換することにより画像を取得する。そのため、取得された画像の画質は、入力装置の光学系の状態によっては光学系の収差の影響を受けて劣化する場合がある。このように画質の劣化した画像に対しては、画像処理により画質を改善することが行われている。例えば、光学系に起因する画質劣化に関する情報に基づいて、画像処理により画質を改善する技術が開示されている（例えば、特許文献１参照。）。
【０００３】
【特許文献１】特開２００２−２０７２４２号公報
【特許文献２】特開２００３−１１０８４４号公報
【特許文献３】特開２００３−６９８７２号公報
【発明の開示】
【発明が解決しようとする課題】
【０００４】
しかしながら、画質劣化に関する情報に基づき画像処理を行う方法では、画質劣化に関する情報を画像ファイルとは別に保持するため、画像ファイルとその画質劣化情報との管理が複雑となっていた。
【０００５】
本発明は、上述した従来の課題を解決するためになされたものであり、画像ファイル以外の付加的な情報を用いることなく、光学系による画質の劣化を補正する技術を提供することを目的とする。
【課題を解決するための手段】
【０００６】
上記目的の少なくとも一部を達成するために、本発明の画像処理装置は、デジタルカメラによって生成された画像データと、前記画像データ生成時の撮影条件情報とを含む画像ファイルの内容に応じて、前記画像データに対して画像処理を行う画像処理装置であって、前記撮影条件情報は、前記画像データ生成時の前記デジタルカメラの光学系の設定パラメータを表す光学系設定情報を有し、前記画像処理装置は、前記光学系設定情報に基づいて、前記画像データの画質を調整する画質調整部を備えることを特徴とする。
【０００７】
この画像処理装置によれば、画像ファイル以外の付加的な情報を用いることなく、光学系による画質の劣化を補正することが可能となる。
【０００８】
前記光学系設定情報は、前記光学系の３５ｍｍフィルムカメラに換算した焦点距離の値である３５ｍｍ換算レンズ焦点距離を有し、前記画質調整部は、前記３５ｍｍ換算レンズ焦点距離に基づいて、前記画像データの画質を調整するものとしても良い。
【０００９】
この構成によれば、デジタルカメラの撮像素子のサイズと焦点距離とが種々の値をとる場合であっても、それらの値に応じて望ましい画質調整を行うことができる。
【００１０】
前記光学系設定情報は、前記光学系の絞り値を有し、前記画質調整部は、前記絞り値に基づいて、前記画像データの画質を調整するものとしても良い。
【００１１】
このようにすれば、過度の画質調整をさけることができるので、画像処理後の画質をより良好なものとすることができる。
【００１２】
なお、前記画質調整部は、前記光学系設定情報に基づいて、前記画像データのコントラスト調整を行うものとしても良い。
【００１３】
この構成では、画像全体の明るさを大きく変えることなく、画質を改善することができる。
【００１４】
前記画質調整部は、前記３５ｍｍ換算レンズ焦点距離が長くなるにしたがって、前記コントラスト調整の調整量を大きくするものとしても良い。
【００１５】
この構成によれば、焦点距離の変化による画質の変化に応じて、より適した画質調整ができる。
【００１６】
前記画質調整部は、前記絞り値が大きくなるにしたがって、前記コントラスト調整の調整量を小さくするようにしても良い。
【００１７】
この構成では、絞り値が大きい場合の過度の画質調整をさけ、より良好な画像を得ることができる。
【００１８】
なお、本発明は、種々の態様で実現することが可能である。例えば、画像ファイル生成装置、画像出力装置および画像処理方法、それらの方法または装置の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１９】
次に、本発明の実施の形態を実施例に基づいて以下の順序で説明する。
Ａ．実施例１：
Ｂ．実施例２：
Ｃ．変形例：
【００２０】
Ａ．実施例１：
図１は、本発明の一実施例としての画像処理システム１００を示す説明図である。この画像処理システム１００は、デジタルスチルカメラ２００とパーソナルコンピュータ１２０とカラープリンタ１４０とを備えている。入力装置であるデジタルスチルカメラ２００は、本発明の画像処理装置によって処理される画像データを生成する。デジタルスチルカメラで生成された画像データは、パーソナルコンピュータ１２０に組み込まれている画像処理装置の働きにより、画質が調整される。そして、画質が調整された画像データは、出力装置であるカラープリンタ１４０により出力される。
【００２１】
デジタルスチルカメラ２００と、パーソナルコンピュータ１２０と、カラープリンタ１４０とは、ケーブルＣＶによって相互に接続することが可能である。ケーブルＣＶにより接続されている場合には、画像データはケーブルＣＶを介してデジタルスチルカメラ２００とパーソナルコンピュータ１２０等との間で送受信される。また、デジタルスチルカメラ２００等がケーブルＣＶで接続されていない場合には、画像データをメモリカードＭＣに格納することにより、画像データの交換が可能となる。
【００２２】
なお、本実施例ではパーソナルコンピュータ１２０に画像処理装置を組み込んでいるが、カラープリンタ１４０に画像処理装置を組み込むことも可能であり、デジタルスチルカメラに画像処理装置を組み込んでも良い。
【００２３】
図２は、画像入力装置であるデジタルスチルカメラ２００の構成を示す説明図である。デジタルスチルカメラ２００の撮像部は、光学系２１０と、電荷結合素子（ＣＣＤ）２１２と、画像取得装置２１４とを備えている。ＣＣＤ２１２の受光面には、光学系２１０により物体２５０の像２５２が形成される。なお、光学系２１０は複数のレンズのほか、絞りやズーム機構等を備えているが、図２では簡略化されて１枚のレンズのみが描かれている。
【００２４】
ＣＣＤ２１２は、受光面に結像した像２５２の明暗を電気信号に変換する光電変換を行う。ＣＣＤ２１２が出力する電気信号は、画像取得装置２１４に備えられたＡ／Ｄ変換器によりデジタル信号に変換され、画像データが生成される。シャッターが押されると、この画像データは画像取得装置２１４で所定の形式に変換され、撮影条件等の情報が付加された後、画像ファイルとしてメモリカードＭＣに記録される。なお、画像ファイルの構成については後述する。
【００２５】
デジタルスチルカメラ２００は、さらに、ユーザインターフェースとして、選択・決定ボタン２２０と、情報表示のための液晶ディスプレイ２２２とを備えている。制御装置２１８は、選択・決定ボタン２２０等により撮影者から与えられる指示や、撮像部からの各種情報とを基にデジタルスチルカメラ２００の各部を制御する。また、液晶ディスプレイ２２２は、撮影画像のプレビュー装置やデジタルスチルカメラ２００のファインダーとしても使用される。この場合、画像取得装置２１４で生成された画像データは、制御装置２１８を介して液晶ディスプレイ２２２に伝達され、液晶ディスプレイ２２２上に画像２５４として表示される。
【００２６】
なお、本実施例においては、光電変換を行う装置としてＣＣＤ２１２を用いているが、光電変換の装置としては像２５２の明暗を電気信号に変換することができれば良く、例えばＭＯＳイメージセンサや撮像管等の光電変換素子を使用することも可能である。
【００２７】
図３は、デジタルスチルカメラ２００の光学系２１０が、無限遠にフォーカスが合わせられている状態での光路図である。なお、図３では、デジタルスチルカメラ２００の光学系２１０を等価な薄肉レンズＬＤＣに置き換えて図示している。また、ＣＣＤ２１２の受光面は、同一の画面サイズを有するデジタルスチルカメラの画面ＰＤＣとして表されている。
【００２８】
図３の実線は、一点鎖線で表されている光軸に対して斜めに入射する平行光が、レンズＬＤＣで収束される様子を示している。入射した平行光は、光軸に垂直でレンズＬＤＣの焦点ＦＤＣを通る面（「焦平面」と呼ばれる）上で一点に収束する。入射する平行光と光軸とがなす角度が、画面ＰＤＣの端部とレンズＬＤＣの主点Ｈを結ぶ直線と光軸とがなす角度θｖ（「画角」と呼ばれる）よりも大きい場合、レンズＬＤＣで収束された光は画面ＰＤＣから外れる。このように、デジタルスチルカメラ２００で撮影可能な範囲は、平行光が光軸となす角度が画角θｖ以下の範囲となる。
【００２９】
ところで、デジタルスチルカメラ２００で用いられるＣＣＤ２１２には、様々な大きさの物が使用されるので、画面ＰＤＣも様々な大きさになる。前述の通り画角θｖは画面ＰＤＣの大きさとレンズＬＤＣの焦点距離によって決まるため、レンズＬＤＣの焦点距離が同一であっても画角θｖが同一にならない場合が生じる。そこで、光学系２１０の焦点距離を、いわゆる３５ｍｍ換算レンズ焦点距離と呼ばれる値を用いて表すことが行われる。ここで、３５ｍｍ換算レンズ焦点距離とは、画面の大きさを３５ｍｍフィルムカメラの画面Ｐ３５の大きさとしたときの画角が、デジタルスチルカメラ２００の画角θｖと同一となる焦点距離である。以上の説明からわかるように、３５ｍｍ換算レンズ焦点距離は、実質的には画角を表す値である。
【００３０】
３５ｍｍ換算レンズ焦点距離は、以下のようにして求めることができる。３５ｍｍカメラの画面Ｐ３５を、その端部が光軸に対して斜めに入射する平行光の主光線（図３の二点鎖線）上となるように置く。レンズＬ３５を、主点がＨであって、画面Ｐ３５と光軸との交点Ｆ３５が焦点であるレンズとする。このとき、レンズＬ３５の焦点距離と画面Ｐ３５の大きさとで定められる画角は、デジタルスチルカメラでの画角θｖと等しくなる。そして、このレンズＬ３５の焦点距離が光学系２１０の３５ｍｍ換算レンズ焦点距離となる。本実施例では、後述するように、この３５ｍｍ換算レンズ焦点距離を用いて画像のコントラスト調整を行う。
【００３１】
図４は、画像データを出力する出力装置としてのコンピュータ１２０とカラープリンタ１４０の構成の概略を示すブロック図である。コンピュータ１２０は、メモリカードＭＣから画像ファイルを読み出すことが可能なスロット１２２と、カラープリンタ１４０に印刷を行わせるための印刷データを生成するための印刷データ生成装置１２４とを備えている。
【００３２】
印刷データ生成装置１２４は、印刷データ生成のための演算処理を実行する演算処理装置（ＣＰＵ）１２８と、ＣＰＵ１２８において実行されるプログラムやＣＰＵ１２８における演算処理結果その他のデータを格納するハードディスク１３０と、これらのプログラムやデータを一時的に格納するランダムアクセスメモリ（ＲＡＭ）１２６とを備えている。印刷データ生成装置１２４は、さらに印刷データの生成に先立って、画像データに画像処理を行う機能も有している。
【００３３】
コンピュータ１２０のハードディスク１３０には、画像処理を行うソフトウェアとして、撮影条件情報に基づいて画質調整のパラメータを決定するためのデータと、決定されたパラメータに従って画像データの画質調整をするプログラムとが格納されている。なお、本実施例では、印刷データ生成装置が画像処理装置を備えるものとしているが、画像処理装置としては所定の画像処理を行うことができれば良く、例えば独立した画像処理装置としても良い。画質調節の行われた画像データは、印刷データ生成装置１２４により印刷データに変換され、カラープリンタ１４０に送られる。
【００３４】
カラープリンタ１４０は、カラー画像の出力が可能なインクジェット方式のプリンタである。カラープリンタ１４０は、印刷データ生成装置１２４から送られた印刷データにしたがって複数色のインクを印刷媒体上に吐出する。吐出されたインクによりドットパターンが形成され、印刷画像が形成される。なお、複数色のインクとしては、例えば、シアン（Ｃ）、マゼンタ（Ｍ）、イエロー（Ｙ）、ブラック（Ｋ）の４色のインクが使用される。
【００３５】
図５は、本実施例における画像ファイルＧＦの構造の概略を示す説明図である。画像ファイルＧＦは、デジタルスチルカメラ用画像ファイルフォーマット規格（Exif）に従ったファイル構造を有している。この規格は、日本電子情報技術産業協会（ＪＥＩＴＡ）によって定められている。この規格では、画像データとして圧縮タイプのＪＰＥＧデータを格納するJPEG-Exifファイルを、Exifファイル（Exif規格のファイル）に含めることが規定されている。
【００３６】
画像ファイルＧＦは、圧縮データの先頭を示すＳＯＩマーカセグメント３００と、Exifの付属情報を格納するＡＰＰ１マーカセグメント３０２と、Exif拡張データを格納するＡＰＰ２マーカセグメント３０４と、量子化テーブルを定義するＤＱＴマーカセグメント３０６と、ハフマンテーブルを定義するＤＨＴマーカセグメント３０８と、リスタートマーカの挿入間隔を定義するＤＲＩマーカセグメント３１０と、フレームに関する各種パラメータを示すＳＯＦマーカセグメント３１２と、スキャンに関する各種パラメータを示すＳＯＳマーカセグメント３１４と、圧縮データの終了を示すＥＯＩマーカセグメント３１８と、画像データ格納領域３１６とを含んでいる。
【００３７】
ＡＰＰ１マーカセグメント３０２は、ＡＰＰ１マーカ３４０と、Exif識別コード３４２と、ＴＩＦＦヘッダその他の付属情報３４４と、サムネイル画像３４６とを格納している。この付属情報３４４は、ファイルヘッダ（ＴＩＦＦヘッダ）を含むTIFFの構造を取っており、Exif-JPEGでは、圧縮画像データに関する付属情報を格納する０th IFDと、撮影条件情報ＰＩを始めとするExif固有の付属情報を格納するExif IFDと、ＧＰＳの測定情報を格納を格納するGPS Info IFDと、サムネイル画像に関する付属情報を格納する１st IFDとを含んでいる。Exif IFDは、０th IFDに格納されているTIFFヘッダからのオフセットでポイントされる。IFDでは、各情報を特定するためにタグが用いられており、各情報はタグ名によって呼ばれることがある。
【００３８】
図６は、画像ファイルＧＦのExif IFDに格納される付属情報の一例を示す説明図である。付属情報には、バージョンに関するタグや撮影条件に関するタグを含む各種のタグが含まれている。撮影条件に関するタグには、レンズＦ値や絞り値、レンズ焦点距離、焦点面の幅の解像度、焦点面の高さの解像度、３５ｍｍ換算レンズ焦点距離等の光学系設定情報のほか露出時間やＩＳＯ感度、シャッタースピード、輝度値、焦点面解像度単位、その他の各パラメータ値が既定のオフセットに従って撮影条件情報ＰＩとして格納されている。撮影条件情報ＰＩの記録は、前述のようにデジタルスチルカメラ２００において撮影時に行われる。
【００３９】
図７は、光学系２１０（図２）によるコントラストの低下と焦点距離との関係を示す説明図である。図７の像高は、光学系２１０の結像面での画面中心（光軸）からの距離を示している。また、コントラスト比は、縞状のパターンを被写体として光学系２１０を介して結像させ、所定の空間周波数の縞状の像を形成したときの、パターンのコントラストと像のコントラストの比を示している。
【００４０】
図７（ａ）は、光学系２１０の焦点距離が最短の場合の、像高の増大に従ってコントラスト比が変化していく様子（以下、「ＭＴＦ特性」と呼ぶ）の一例を示している。図７（ｂ）は、光学系２１０の焦点距離が最長の場合のＭＴＦ特性の一例を示している。このように像のコントラストは、像高が大きくなるに従って低下していく。また、像高の小さい領域では、焦点距離が長くなるに従い像のコントラストが低下する。なお、図７の各グラフは、光学系２１０の絞りが開放絞りの状態、すなわち絞りが絞られていない状態でのＭＴＦ特性を示している。
【００４１】
ところで、光学系が無収差の理想的な状態では、被写体の各点は像の各点に一対一に対応し、像の各点の明るさは被写体の各点の明るさに比例する。そのため、理想的な光学系による像のコントラストは縞状パターンのコントラストと等しくなり、コントラスト比は１となる。
【００４２】
しかしながら、実際の光学系には収差が存在するため、被写体上の各点の像は広がる。像の広がりにより縞状パターンの明るい部分と暗い部分の像は混じり合い、像のコントラストは縞状パターンのコントラストより低くなる。この光学系の収差によって低下したコントラストは、画像処理を行うことで補正をすることが可能である。具体的には、コントラストが低下した画像に対してコントラストを上げる調整を行うことにより、被写体のコントラストを再現することができる。
【００４３】
図８は、本実施例におけるコントラスト調整の内容を示す説明図である。入力レベルはコントラスト調整前の画像データの値を示しており、出力レベルはコントラスト調整後の画像データの値を示している。図８のグラフは、コントラスト調整に用いられる、ＲＧＢ各成分の入力レベルと出力レベルとを関連づける特性線（「トーンカーブ」と呼ばれる）の一例を示している。コントラストの調整は、各画素のＲＧＢ成分をトーンカーブを用いて変換することにより行われる。なお、図８では入力レベルと出力レベルそれぞれについて、最小値を０とし最大値を１とする規格化を行ってトーンカーブを表している。
【００４４】
このコントラスト調整のトーンカーブは、入力レベルが０，１および１／２の３点で入力レベルと出力レベルが等しく、入力レベルが１／４の点では出力レベルを下げ、３／４の点では出力レベルを上げるＳ字型の曲線となっている。このようなトーンカーブでは、入力レベルが１／２の付近で、調整を行わないときの特性線（図８の破線）よりも傾きが大きくなる。そのため、このトーンカーブを用いて画像データの調整を行えば、入力レベルが１／２の付近での画像のコントラストが上昇する。また、画像全体では、出力レベルが上昇する領域と出力レベルが低下する領域とが存在するため、画像全体の明るさはコントラスト調整の前後でほぼ同じとなる。
【００４５】
コントラスト調整の程度は、入力レベルが１／４と３／４の点での出力レベルのシフト量で決定される。シフト量をΔからΔ’まで増加させることにより、トーンカーブの屈曲は大きくなる。そして、入力レベルが１／２の付近のトーンカーブの傾きはより大きくなるので、出力画像のコントラストはより高くなる。このようにして出力レベルのシフト量Δ（以下、「コントラスト調整量」とも呼ぶ）を増減することにより、コントラスト調整の程度を変えることができる。なお、コントラスト調整量の決定方法については後述する。
【００４６】
コントラストの調整に用いられるトーンカーブは、コントラストを高めようとする入力レベル付近の傾きが大きければ良く、上述したＳ字型のトーンカーブと異なる他の形状のトーンカーブを用いることも可能である。
【００４７】
図９は、第１の実施例における、コントラスト調整量の決定の様子を示す説明図である。一般に、光学系の収差は、焦点距離よりも画角の影響が大きい。図３で説明したように、３５ｍｍ換算レンズ焦点距離は、実質的に画角を表す値である。そのため、第１の実施例では、画角を表すパラメータとして３５ｍｍ換算レンズ焦点距離を用いて、コントラスト調整量Δを決定している。なお、３５ｍｍ換算レンズ焦点距離は、先に説明したように、画像ファイルＧＦ中の撮影条件情報ＰＩ（図６）に記録されている。
【００４８】
図９のｆWとｆTは、それぞれ光学系２１０（図２）の焦点距離が最短（ワイド）の場合と最長（テレ）の場合における３５ｍｍ換算レンズ焦点距離を表している。また、ΔWは３５ｍｍ換算レンズ焦点距離が最小値ｆWの場合のコントラスト調整量を表し、ΔTは３５ｍｍ換算レンズ焦点距離が最大値ｆTの場合のコントラスト調整量を表している。
【００４９】
第１の実施例では、図９に示されるように、短焦点距離でのコントラスト調整量ΔWが長焦点距離でのコントラスト調整量ΔTよりも小さく、焦点距離の増加に伴いコントラスト調整量は単調に増加するように設定されている。その理由は、像高の小さい領域でのコントラスト低下量が、焦点距離が長くなるに従って大きくなっていくためである。
【００５０】
コントラスト調整量ΔW，ΔTと３５ｍｍ換算レンズ焦点距離ｆW，ｆTの中間の焦点距離でのコントラスト調整量は、光学系２１０のＭＴＦ特性の測定値やシミュレーションによるＭＴＦ特性の評価結果等に基づいて適宜設定される。このコントラスト調整量は、主要な被写体が写されている場合が多く、画像に対するコントラスト低下の影響が大きい画面中心部でのコントラスト比に基づいて決められることが好ましい。
【００５１】
３５ｍｍ換算レンズ焦点距離とコントラスト調整量の関係は、画像処理装置に組み込まれたコントラスト調整量の計算モデルとハードディスク１３０に格納された計算パラメータとを用いて算出することが可能である。また、ハードディスクに格納された、３５ｍｍ換算レンズ焦点距離とコントラスト調整量のテーブルを参照することにより、コントラスト調整量を求めることも可能である。
【００５２】
第１の実施例では、コントラスト調整量の決定に撮影条件情報ＰＩ中の３５ｍｍ換算レンズ焦点距離を用いているが、コントラスト調整量の決定に使用されるパラメータとしては、撮影時の画角に相当するパラメータが使用できればよい。例えば撮影条件情報ＰＩに含まれる実焦点距離と焦点面上の解像度とから求められる画角等により、コントラスト調整量を決定することも可能である。
【００５３】
Ｂ．実施例２：
図１０は、光学系２１０（図２）によるコントラストの低下と絞り値との関係を示す説明図である。図７と同様に、像高は光学系２１０の結像面での画面中心からの距離を示し、コントラスト比は縞状パターンのコントラストと光学系２１０により得られた像のコントラストの比を示している。図１０（ａ）は光学系２１０の絞りが開放の場合のＭＴＦ特性の一例を示し、図１０（ｂ）は、光学系２１０の絞りが最小絞りの場合のＭＴＦ特性の一例を示している。図１０の各グラフは、光学系２１０の焦点距離が最長の状態でのＭＴＦ特性を示している。
【００５４】
一般に、光学系の収差は、絞りが絞られるに従い低減する。そのため、図１０に示されるように、絞りが開放の状態でのコントラスト低下量は、絞りが最小絞りの状態でのコントラスト低下量よりも大きくなる。コントラストの調整により被写体のコントラストを正確に再現するため、光学系２１０の絞りの状態に応じてコントラスト調整量を決定することが望ましい。
【００５５】
図１１は、第２の実施例における、コントラスト調整量の決定の様子を示す説明図である。ＦFとＦMは、それぞれ光学系２１０（図２）の絞りが開放（フル）の場合と最小絞り（ミニマム）の場合における絞り値を表している。また、ΔFは絞り値が最小値ＦF（開放絞り）の場合のコントラスト調整量を表し、ΔMは絞り値が最大値ＦM（最小絞り）の場合のコントラスト調整量を表している。なお、本明細書において「絞り値」とは、光学系２１０の絞りの開口径が小さくなるに従って値が大きくなるパラメータをいう。
【００５６】
上述の通り、光学系の収差は絞りが絞られるに従い低減するので、コントラスト調整量は、図１１に示されるように絞り値が大きくなるに従って小さくなるように決定される。そして、このようにコントラスト調整量を決定することにより、被写体のコントラストをより正確に再現することができる。なお、コントラスト調整量を決定する絞り値としては、画像ファイルＧＦ中の撮影条件情報ＰＩ（図６）に記録されている絞り値を使用することが可能であり、撮影条件情報ＰＩ中のＦナンバーを使用することも可能である。
【００５７】
コントラスト調整量ΔM，ΔFと、絞り値ＦM，ＦFの中間の絞り値でのコントラスト調整量は、光学系２１０のＭＴＦ特性の測定値やシミュレーションによるＭＴＦ特性の評価結果等に基づいて適宜設定される。また第１の実施例と同様に、コントラスト調整量は画面中心部でのコントラスト比に基づいて決められることが好ましい。
【００５８】
なお、本実施例の他の構成や効果は、第１実施例のものとほぼ同じなので、ここではその説明を省略する。
【００５９】
第２の実施例では、コントラスト調整量を光学系２１０の絞り値のみに基づいて決定しているが、コントラスト調整量を光学系２１０の３５ｍｍ換算レンズ焦点距離と絞り値との両パラメータに基づいて決定しても良い。このようにすれば、より適切なコントラスト調整量を求めることができ、画像処理後のコントラストをより被写体のコントラストに近づけることができる。
【００６０】
Ｃ．変形例：
なお、この発明は上記の実施例や実施形態に限られるものではなく、その要旨を逸脱しない範囲において種々の態様において実施することが可能であり、例えば次のような変形も可能である。
【００６１】
上記各実施例では、画像入力装置としてデジタルスチルカメラを使用する場合について説明したが、本発明は、光学系を用いて結像した像を光電変換する画像入力装置であれば適用可能であり、例えばデジタルビデオカメラやイメージスキャナ等にも適用することが可能である。
【図面の簡単な説明】
【００６２】
【図１】本発明の一実施例としての画像処理システム１００を示す説明図。
【図２】画像入力装置であるデジタルスチルカメラ２００の構成を示す説明図。
【図３】デジタルスチルカメラ２００の光学系２１０が、無限遠にフォーカスが合わせられている状態での光路図。
【図４】画像データを出力する出力装置としてのコンピュータ１２０とカラープリンタ１４０の構成の概略を示すブロック図。
【図５】本実施例における画像ファイルＧＦの構造の概略を示す説明図。
【図６】画像ファイルＧＦのExif IFDに格納される付属情報の一例を示す説明図。
【図７】光学系２１０によるコントラストの低下と焦点距離との関係を示す説明図。
【図８】本実施例におけるコントラスト調整の内容を示す説明図。
【図９】第１の実施例における、コントラスト調整量の決定の様子を示す説明図。
【図１０】光学系２１０によるコントラストの低下と絞り値との関係を示す説明図。
【図１１】第２の実施例における、コントラスト調整量の決定の様子を示す説明図。
【符号の説明】
【００６３】
１００…画像処理システム
１２０…パーソナルコンピュータ
１２２…スロット
１２４…印刷データ生成装置
１２８…ＣＰＵ
１３０…ハードディスク
１４０…カラープリンタ
２００…デジタルスチルカメラ
２１０…光学系
２１２…ＣＣＤ
２１４…画像取得装置
２１８…制御装置
２２０…決定ボタン
２２２…液晶ディスプレイ
２５０…物体
２５２…像
２５４…画像
３００…ＳＯＩマーカセグメント
３０６…ＤＱＴマーカセグメント
３０８…ＤＨＴマーカセグメント
３１０…ＤＲＩマーカセグメント
３１２…ＳＯＦマーカセグメント
３１４…ＳＯＳマーカセグメント
３１６…画像データ格納領域
３１８…ＥＯＩマーカセグメント
３４４…付属情報
３４６…サムネイル画像
【図１】
2008141784.tif 000003
【図２】
2008141784.tif 000004
【図３】
2008141784.tif 000005
【図４】
2008141784.tif 000006
【図５】
2008141784.tif 000007
【図６】
2008141784.tif 000008
【図７】
2008141784.tif 000009
【図８】
2008141784.tif 000010
【図９】
2008141784.tif 000011
【図１０】
2008141784.tif 000012
【図１１】
2008141784.tif 000013
【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
画像データと、前記画像データ生成時の撮影条件情報とを含む画像ファイルの内容に応じて、前記画像データに対して画像処理を行う画像処理装置であって、
前記撮影条件情報は、前記画像データ生成時の画像生成装置の光学系の設定を表す光学系設定情報を有し、
前記画像処理装置は、前記光学系設定情報に基づいて、前記画像データのコントラスト調整を行う画質調整部を備える画像処理装置。
【請求項２】
請求項１記載の画像処理装置であって、
前記光学系設定情報は、前記光学系の３５ｍｍフィルムカメラに換算した焦点距離の値である３５ｍｍ換算レンズ焦点距離を有し、
前記画質調整部は、前記３５ｍｍ換算レンズ焦点距離に基づいて、前記画像データのコントラストを調整する画像処理装置。
【請求項３】
請求項１または２記載の画像処理装置であって、
前記光学系設定情報は、前記光学系の絞り値を有し、
前記画質調整部は、前記絞り値に基づいて、前記画像データのコントラストを調整する画像処理装置。
【請求項４】
請求項３記載の画像処理装置であって、
前記画質調整部は、前記絞り値が最小値である場合のコントラスト調整量を前記絞り値が最大値である場合のコントラスト調整量よりも大きくする画像処理装置。
【請求項５】
画像データと、前記画像データ生成時の撮影条件情報とを含む画像ファイルの内容に応じて、前記画像データに対して画像処理を行う画像処理方法であって、
（ａ）前記撮影条件情報が有する前記画像データ生成時の画像生成装置の光学系の設定を表す光学系設定情報を取得する工程と、
（ｂ）前記光学系設定情報に基づいて、前記画像データのコントラスト調整を行う画質調整工程と、
を備える画像処理方法。
【請求項６】
画像データと、前記画像データ生成時の撮影条件情報とを含む画像ファイルの内容に応じて、前記画像データに対して画像処理を行う画像処理プログラムであって、
（ａ）前記撮影条件情報が有する前記画像データ生成時の画像生成装置の光学系の設定を表す光学系設定情報を取得するステップと、
（ｂ）前記光学系設定情報に基づいて、前記画像データのコントラスト調整を行う画質調整ステップと、
をコンピュータに実行させる画像処理プログラム。
【手続補正２】
【補正対象書類名】明細書
【補正対象項目名】０００６
【補正方法】変更
【補正の内容】
【０００６】
上記目的の少なくとも一部を達成するために、本発明の画像処理装置は、画像データと、前記画像データ生成時の撮影条件情報とを含む画像ファイルの内容に応じて、前記画像データに対して画像処理を行う画像処理装置であって、前記撮影条件情報は、前記画像データ生成時の画像生成装置の光学系の設定を表す光学系設定情報を有し、前記画像処理装置は、前記光学系設定情報に基づいて、前記画像データのコントラストの調整を行う画質調整部を備えることを特徴とする。
【手続補正３】
【補正対象書類名】明細書
【補正対象項目名】０００８
【補正方法】変更
【補正の内容】
【０００８】
前記光学系設定情報は、前記光学系の３５ｍｍフィルムカメラに換算した焦点距離の値である３５ｍｍ換算レンズ焦点距離を有し、前記画質調整部は、前記３５ｍｍ換算レンズ焦点距離に基づいて、前記画像データのコントラストを調整するものとしても良い。
【手続補正４】
【補正対象書類名】明細書
【補正対象項目名】０００９
【補正方法】変更
【補正の内容】
【０００９】
この構成によれば、画像生成装置の撮像素子のサイズと焦点距離とが種々の値をとる場合であっても、それらの値に応じて望ましいコントラスト調整を行うことができる。
【手続補正５】
【補正対象書類名】明細書
【補正対象項目名】００１０
【補正方法】変更
【補正の内容】
【００１０】
前記光学系設定情報は、前記光学系の絞り値を有し、前記画質調整部は、前記絞り値に基づいて、前記画像データのコントラストを調整するものとしても良い。
【手続補正６】
【補正対象書類名】明細書
【補正対象項目名】００１１
【補正方法】変更
【補正の内容】
【００１１】
このようにすれば、過度のコントラスト調整をさけることができるので、画像処理後の画質をより良好なものとすることができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
前記画質調整部は、前記絞り値が最小値である場合のコントラスト調整量を前記絞り値が最大値である場合のコントラスト調整量よりも大きくするようにしても良い。
【手続補正１２】
【補正対象書類名】明細書
【補正対象項目名】００１７
【補正方法】変更
【補正の内容】
【００１７】
この構成では、絞り値が最大値である場合の過度のコントラスト調整をさけ、より良好な画像を得ることができる。